(57)【要約】【課題】背当て体と背中が密着している状態でも高温の体熱を吸収し、発熱することにより体感温度を下げて快適な温度になるランドセルを提供する。【解決手段】下地ボード６と、その下地ボードの上に設けられる発泡体からなる支持層８と、その支持層の上に設けられる熱吸収放散シート９と、それらを覆う柔軟なカバーシート１０とから構成される背当て体１を備え、熱吸収放散シート９が、通気性を備えた基材と、その基材に含有または付着せしめた熱吸収拡散剤とからなるランドセルＡ。背負いベルト５は、表地と、その上に設けられる発泡シートと、その上に設けられる熱吸収放散シートと、それらを覆う裏地とからなる。【選択図】図１
2011189075.tif 000002
【特許請求の範囲】
【請求項１】
下地ボードとその下地ボードの上に設けられる熱吸収放散シートとから構成される背当て体を備え、
前記熱吸収放散シートが、通気性を備えた基材とその基材に含有または付着せしめた熱吸収拡散剤とからなるランドセル。
【請求項２】
前記下地ボードと熱吸収放散シートの間に発泡体からなる支持層が介在されている請求項１記載のランドセル。
【請求項３】
下地シートとその下地シートの上に設けられる熱吸収放散シートとから構成される背負いベルトを備え、
前記熱吸収放散シートが、通気性を備えた基材とその基材に含有または付着せしめた熱吸収拡散剤とからなるランドセル。
【請求項４】
前記下地シートと熱吸収放散シートの間に発泡体からなる支持層が介在されている請求項３記載のランドセル。
【請求項５】
前記熱吸収放散シートの表面が、柔軟なカバーシートによって覆われている請求項１〜４のいずれかに記載のランドセル。
【請求項６】
前記熱吸収放散シートとカバーシートとの間に、発泡体からなる中間層が介在されている請求項５記載のランドセル。
【請求項７】
前記熱吸収拡散剤が少なくともヒトの皮膚表面温度より高温で液体となり、低温で個体となるパラフィンワックスであり、マイクロカプセルに充填された上で、前記基材に含有または付着されている請求項１〜６のいずれかに記載のランドセル。
【請求項８】
背負いベルトの上部が、背当て体に対し、その上端近辺から上向きに立ち上がるように取り付けられている請求項１〜７のいずれかに記載のランドセル。
【請求項９】
前記支持層が、粘着弾性を有する連続気泡の発泡体製のクッションシートを有する請求項２または４記載のランドセル。
【発明の詳細な説明】
【技術分野】
【０００１】
本発明は温度を適切に維持するランドセルに関する。さらに詳しくは、周囲の温度変化に対して適正な温度を維持するように、熱を吸収・放散することができる、装着感がすぐれたランドセルに関する。
【背景技術】
【０００２】
特許文献１は、ランドセルの生地に断熱層を設けることを提案している。このような断熱層として、ポリエステルのトリコット地にチタン合金をコーティングしたものがあげられている。このようなランドセルは、太陽の熱で外皮体の温度が上昇しても背当て板までは熱が伝わらず、高温にはならない。
【０００３】
また、一般にランドセルは、書類などを保護するため、背当て体に縫い糸が通る程度の軟質の合成樹脂板、パーティクルボード、ベニヤ板あるいはボール紙などの下地ボードを用いている。そしてその下地ボードの上に、背中にソフトな感触を与えるためにスポンジやフェルト地などのクッション材を重ね、さらにその上に天然または合成皮革などの柔軟なカバーシートを被せて構成している。特許文献２は、ランドセルの背当て板に粘着弾性を有する連続気泡の発泡体からなる支持層を設けることを提案している。このものはクッション性を与えることができ、しかも使用者が走ってもランドセルが大きく跳ねない。
【０００４】
ところで近時、ランドセルと背中の密着性を高めるため、左右の背負いベルトの上端を背当て板に対して上向きに立ち上がるように（ベルトから見れば下向き）、ほとんど回動しないように取り付けたランドセルがある（特許文献３など参照）。このようなランドセルでは、背負いベルトの端部に弾力性を有する合成樹脂板を挿入し、あるいは沿わせて、背負いベルトが折れ曲がらないようにし、それにより背負いベルトが背中に密着するようにしている。
【先行技術文献】
【特許文献】
【０００５】
【特許文献１】特開２００２−１６５６２５号公報
【特許文献２】特開２０００−６０６２０号公報
【特許文献３】特開２００４−３５８０１９号公報
【発明の概要】
【発明が解決しようとする課題】
【０００６】
特許文献１の断熱層は、太陽熱などの外部から受ける熱に対してランドセルの使用者を保護することができる。しかし使用者自身が発生する体温による熱は外部に放出されず、背中が蒸れたり、汗でべとつくなどの問題がある。特許文献２の粘着弾性を有する支持層を設けた背当て体は、背中の凹凸形状に倣わせて局部的に大きな力が加わらないようにし、ソフトな感触を与えることができる。さらに背中に背当て体が密着して軽快感が得られる。しかし背当て体が背中に密着するため、さらに体温が蓄積しやすい。とくに特許文献３のランドセルのようなベルト連結具を用いる場合も、背中が背当て体に密着するため同様である。
【０００７】
他方、背負う前のランドセルは、夏場は高温になりやすく、背負った直後は熱く感ずる。逆に冬期など、外気温が低いときは、ランドセルの温度が低下しており、背負うと冷たく感ずる。さらにそれだけでなく、急激に体温が奪われ、気分が悪くなることもある。また、冬場であっても長時間背負っていると、背当て体と背中が密着するのである程度は暖
かくはなるが、積極的に発熱するものではないので、しだいに体温が奪われて寒く感ずることがある。
【０００８】
本発明は背当て体と背中が密着している状態でも適切な温度に維持することができ、夏冬を問わず、快適に使用することができるランドセルを提供することを技術課題としている。
【課題を解決するための手段】
【０００９】
本発明のランドセル（請求項１）は、下地ボードとその下地ボードの上に設けられる熱吸収放散シートとから構成される背当て体を備え、前記熱吸収放散シートが、通気性を備えた基材とその基材に含有または付着せしめた熱吸収拡散剤とからなることを特徴としている。熱吸収拡散剤は、所定の温度、たとえば一般的なヒトの皮膚表面温度である３５℃より低温の場合は周囲から熱を放散して所定の温度を維持しようとし、所定の温度より高い場合は周囲に熱を吸収して、やはり所定の温度を維持しようとする剤である。このようなランドセルでは、前記下地ボードと熱吸収放散シートの間に発泡体からなる支持層が介在されているものが好ましい（請求項２）。
【００１０】
本発明のランドセルの第２の態様（請求項３）は、下地シートとその下地シートの上に設けられる熱吸収放散シートとから構成される背負いベルトを備え、前記熱吸収放散シートが、通気性を備えた基材とその基材に含有または付着せしめた熱吸収拡散剤とからなることを特徴としている。このようなランドセルでも、前記下地シートと熱吸収放散シートの間に発泡体からなる支持層が介在されているものが好ましい（請求項４）。
【００１１】
また、前記いずれのランドセルでも、前記熱吸収放散シートの表面が、柔軟なカバーシートによって覆われているものが好ましい（請求項５）。その場合、前記熱吸収放散シートとカバーシートとの間に、発泡体からなる中間層が介在されているものであってもよい（請求項６）。さらに前記熱吸収拡散剤が少なくともヒトの皮膚表面温度より高温で液体となり、低温で個体となるパラフィンワックスであり、マイクロカプセルに充填された上で、前記基材に含有または付着せしめているものが好ましい（請求項７）。
【００１２】
前記いずれのランドセルの場合も、背負いベルトの上部が、背当て体に対し、その上端近辺から上向きに立ち上がるように取り付けられているものに適用するのが好ましい（請求項８）。前述の下地シートと熱吸収放散シートの間に発泡体からなる支持層が介在されているランドセルにおいては、その支持層が、粘着弾性を有する連続気泡の発泡体からなるクッションシートを有するものが好ましい（請求項９）。
【発明の効果】
【００１３】
本発明のランドセル（請求項１）は、背当て体を構成する下地ボードの上に熱吸収放散シートが設けられているので、背負っているときに体温により背当て体の温度が上昇すると熱を吸収し、外気などにより温度が低下すると熱を放散する。そして温度が適正になると熱の吸収または放散が止まる。したがって適切な温度に維持される。さらに熱吸収放散シートの基材が通気性を有するため、蒸れることも少ない。他方、背負っていないときにランドセルの温度が周囲の寒気で低下しても熱吸収放熱シートが発熱し、適正な温度になると発熱が止まる。したがって背負った直後でもそれほど冷たく感じない。また、夏期にランドセルを放置していてもそれほど背当て体の温度が上昇せず、背負ったときに熱く感じない。したがってすぐれた装着感が得られる。
【００１４】
上記構成に加えて、さらに前記下地ボードと熱吸収放散シートの間に発泡体からなる支持層が介在されている場合（請求項２）は、ランドセルを背負ったとき、支持層の変形性および弾発性により背当て体への背中の密着性が高く、装着感がよい。そして背当て体が
背中に密着しても、前述のように熱吸収放散シートによって背当て体の温度が適切に維持されるため、使用感が優れている。
【００１５】
本発明のランドセルの第２の態様（請求項３）は、背負いベルトに熱吸収放散シートが設けられているので、背負いベルトが肩や胸に密着しても、温度が適切に維持され、夏期でも冬期でも快適な装着感が得られる。また、夏期、冬期にかかわらず、背負っていない状態のランドセルでも背負いベルトの温度が適切に維持されるので、背負ったときに冷たさや熱さを感じにくい。
【００１６】
上記構成に加えて、さらに背負いベルトの下地シートと熱吸収放散シートの間に発泡体からなる支持層が介在されている場合（請求項４）は、ランドセルを背負ったとき、支持層の変形性および弾発性により背負いベルトの体への密着性が高く、装着感がよい。そして背負いベルトが体に密着しても、前述のように熱吸収放散シートによって背負いベルトの温度が適切に維持されるため、使用感が優れている。
【００１７】
前記いずれのランドセルでも、熱吸収放散シートの表面が柔軟なカバーシートによって覆われている場合（請求項５）は、熱吸収放散シートが体に直接接触せず、カバーシートが介在するので、熱吸収放散シートが保護され、摩擦によって摩耗したり、熱吸収拡散剤が脱落したりすることがない。また、前記熱吸収放散シートとカバーシートとの間に、発泡体からなる中間層が介在されている場合（請求項６）は、熱吸収放散シートがそれほど柔軟でない場合でも、中間層によって凹凸が吸収されるため、カバーシートの表面に皺が現われにくい。
【００１８】
前記熱吸収拡散剤が少なくともヒトの皮膚表面温度より高温で液体となり、低温で固体となるパラフィンワックスであり、マイクロカプセルに充填された上で、前記基材に含有または付着せしめている場合（請求項７）は、使用者の体温が上昇して皮膚温度が上昇すると、パラフィンワックスが固体から液体になり、そのときに熱を吸収する。逆に皮膚温度が低下すると、液体から固体になり、そのときに熱を発生する。このようなパワフィンワックスの固体と液体の間での変化により適切な温度が維持されるので、別途熱源やエネルギを必要とせず、省エネである。また、パラフィンワックスはマイクロカプセルに充填されているので、液体になっても漏洩することがない。
【００１９】
背負いベルトの上部が、背当て体に対し、その上端近辺から上向きに立ち上がるように取り付けられているランドセルに用いる場合（請求項８）は、背当て体が使用者の背中に密着するため、温度を適切に維持する機能が有効に発揮される。前記支持層が、粘着弾性を有する連続気泡の発泡体からなるクッションシートを有する場合（請求項９）も、背当て体が使用者の背中にフィットし、しかも弾むような弾力性を発揮しないため、使用者が走ったり跳ねたりしても、ランドセルが背中から大きく離れることがなく、適度な密着状態が維持される。そのため温度を適切に維持する機能が一層有効に発揮される。
【図面の簡単な説明】
【００２０】
【図１】本発明のランドセルの一実施形態を示す一部切り欠き斜視図である。
【図２】図１のランドセルに用いる背当て体の断面図である。
【図３】図１のランドセルに用いる背負いベルトの断面図である。
【図４】本発明のランドセルに用いる背当て体の他の実施形態を示す断面図である。
【図５】実施例および比較例の実験１の結果を示すグラフである。
【図６】実施例および比較例の実験２の結果を示すグラフである。
【発明を実施するための形態】
【００２１】
図１のランドセルＡは、背当て体１と、その後部の両側に設けられる側襠部２、２と、
それらの側襠部を含む箱状の収容部３と、その収容部の上部開口を覆う覆い蓋４と、２本の背負いベルト５とから構成されている。背当て体１は下地ボード６と、その上に全体に重ねたクッションシート７と、そのクッションシートの上に重ねて下地ボード６の下側と両側部にＵ字状を呈するように設けた支持層８と、クッションシート７と支持層８の全体の表面を覆う熱吸収放散シート９と、それらの全体を覆うカバーシート１０とから構成される。なおカバーシート１０の周囲は押え地１１で覆って下地ボード６に対して糸で縫いつけている（図２参照）。
【００２２】
カバーシート１０は支持層８の内側の周縁に沿って下地ボード６に糸で縫いつけられている。そのため、支持層８に対応するＵ字状の領域８ａは他の部分に対して隆起している（以下、その領域を隆起部８ａという）。また背当て体１の上部には支持層８や熱吸収放散シート９、クッションシート７を挿入せず、背負いベルト５の上端を止めるためのベルト連結具１２（いわゆる背鐶（セカン））１２を固定している。ベルト連結具１２は左右２本の背負いベルト５の端部を背当て体１に連結する一対の略三角形のリング状の連結鐶１３を備えている。
【００２３】
連結鐶１３は背当て体１に対し、回動範囲を規制して上向きに立ち上がるように保持されており、さらに背負いベルト５の端部近辺には、背負いベルト５が屈曲しないように、合成樹脂製の保持プレート（立状保持部材）１４を挿入しており、その保持プレート１４と背負いベルト５の端部近辺が連結鐶１３に対して回動範囲を規制して上向きに立ち上がるように保持されている。
【００２４】
下地ボード６はたとえば合成樹脂製の板など、従来公知のものでよく、カバーシート１０、押え地１１なども従来のもの、たとえば天然皮革または合成皮革を使用しうる。ただし織布の生地であってもよい。前記支持層８としては、粘着弾性を有する発泡体を厚さ３〜２０ｍｍ程度、好ましくは５〜１０ｍｍ程度にスライスし、さらにＵ字状に打ち抜いたものが用いられる。発泡シートの形態に成形したものを、単にＵ字状に打ち抜いて使用することもできる。その場合、Ｕ字状に打ち抜いた内側の部分は、後述する背負いベルト５の発泡シートとして利用しうる。また３枚の長尺状の支持層をＵ字状に並べるようにしてもよい。前記クッションシート７は、通常の弾力性を有する発泡シート、たとえばウレタンフォームのシートを下地ボード６の形状に合わせて矩形状に切断したものである。
【００２５】
粘着弾性を有する発泡体としては、合成樹脂またはゴムなど素材の如何を問わず、発泡体の気泡自体および気泡間の連通孔をきわめて小さくして（たとえば直径５〜１０００μｍ、とくに５０μｍ〜５００μｍ程度）空気の流通抵抗を大きくしたもの、素材自体に粘着性があるもの、通常の発泡体に粘着性のある材料を含浸または付着させたもの、さらにそれらを組み合わせたものなど、種々の態様のものが含まれる。
【００２６】
それらの粘着弾性を有する発泡体としては、米国のダイナミック・システム社が製造販売する衝撃吸収用の樹脂発泡体である「テンパーフォーム（ＴＥＭＰＥＲ ＦＯＡＭ：登
録商標）」のタイプＴ−４７、Ｔ−４１、Ｔ−３８、Ｔ−３６など、またはこれらと同等の性能を有するものがとくに好ましい代表例としてあげられる。また、メモリーフォーム（ＭＥＭＯＲＹ ＦＯＲＭ：登録商標）の商品名で市販されているものも同様に使用しう
る。これらは衝撃や振動の吸収・拡散性能が高いほか、通気性および熱吸収性が高く、吸湿・透湿性が高いので、背中にフィットするにも拘らず、背中に汗をかいたときに蒸れや汗によるべたつき、汚れを防止する効果がある。また軽量であるので（比重約０．１）、使用者の負担が軽いという利点がある。
【００２７】
粘着弾性を有する発泡シートからなる支持層８は、通常は厚さ１０〜２０ｍｍ程度のものを１枚だけ使用するが、図２に示すように、厚さ３〜５ｍｍ程度のシートを３〜５枚重
ねて衝撃吸収作用を調節するようにしてもよい。またこのように薄いシートにする場合は、後述する背負いベルト５に入れる粘着弾性を有する発泡シート１５と共通して使用できる。なお粘着性があるので、重ねた発泡シート同士が互いにずれることもない。また隆起部８ａはその全部を粘着弾性を有する発泡シート（支持層）で構成してもよいが、図２のように、薄くした通常の発泡シート（クッションシート）と積層して形成してもよい。
【００２８】
前記クッションシート７は、ウレタンフォームのほか、ポリスチレン、ポリプロピレンなどの連続気泡の合成樹脂発泡体を３〜５ｍｍ程度の厚さにスリットしたものなども採用しうる。
【００２９】
熱吸収放散シート９は、通気性を備えた基材と、その基材に含有または付着せしめた熱吸収拡散剤とからなる。熱吸収拡散剤としては、ヒトの皮膚表面温度より高温で液体となり、低温で個体となるパラフィンワックスが好ましい。ただしパラフィンワックスはそのままでは、とくに液状では基材から脱落するので、マイクロカプセルに充填した上で基材に含有させるか付着させる。パラフィンワックスは、体温近辺に変態温度を有するものが好ましく、たとえば３３〜３６℃以下のときに液体から固体に変化して熱を放出し、３８〜４０℃以上で周囲から熱を奪って固体から液体に変化するものが好ましい。
【００３０】
このような熱吸収拡散剤としてのパラフィンワックスを充填したマイクロカプセルとしては、たとえば米国のアウトラスト・テクノロジーズ社が製造し、伊藤忠商事株式会社が販売する温度調節素材である「アウトラスト（登録商標）」、あるいはこれと同等の性能を有するものが好ましい。マイクロカプセルの大きさは、通常は２〜３０μｍである。
【００３１】
熱吸収拡散剤を担持する基材としては、ファイバー（繊維状のもの）、ファブリック（織布、不織布）、フォーム（弾性発泡材料）などがある。これらのうち、ポリエステルなどの合成繊維の不織布が柔軟性、通気性、マイクロカプセルの担持性が高いため好ましい。マイクロカプセルは不織布や織布に接着剤で接着させるほか、成形前の合成樹脂材料に練り込み、押し出し成形、発泡成形、プレス成形などで所定の形状に成形して用いることもできる。
【００３２】
上記のように構成されるランドセルＡは、夏期に使用者の体温が上昇して身体に熱が発生したとき、熱吸収放散シート９の熱吸収拡散剤が熱を吸収して皮膚温度を下げるので、使用者は快適な装着感が得られる。また冬期に使用者の体温が低下すると、この熱吸収放散シート９は熱吸収拡散剤が蓄えている熱を身体に放出するので、使用者は快適な装着感が得られる。とくに粘着弾性を有する下地層を備えた背当て体を使用しているランドセルや、背負いベルトを連結する連結鐶が上向きになっているランドセルでは、背当て体が背中に密着するため、背負った瞬間のランドセルの背当て体の表面温度は外気温の影響を受けて夏期は高温に、冬期は低温になる。しかしこのランドセルＡでは、熱吸収放散シートが直ちに適正温度を維持するべく作用するので、熱い、冷たいの不快感を減少させることができる。
【００３３】
なお、粘着弾性を有する発泡シートからなる支持層８と、通常の発泡樹脂からなるクッションシート７とを重ねる場合は、振動の高周波成分をクッションシート７がスムーズに吸収し、低周波成分は粘着弾性を有する支持層８が吸収する。このように２種類の弾性層が協働して優れた振動吸収作用を奏するので、使用者が飛び跳ねてもフィット感および使用感がよい。
【００３４】
図１のランドセルＡでは、図３に詳細に示すように、背負いベルト５として天然または合成の皮革の表地（基材）１５と柔軟な裏地（カバーシート）１６の間に厚さ３〜５ｍｍ程度の粘着弾性を有する発泡シート１７を支持層として介在させると共に、発泡シート１
７と裏地１６の間に熱吸収放散シート１８を介在させたものを用いている。前述の合成樹脂製の保持プレート１４はこの実施形態では２つ折りにした形態で、連結鐶１３を挟むように取り付けられている。保持プレート１４の一片は発泡シート１７と表地１５の間に介在され、他の片は発泡シート１７と裏地１６の間に介在されている。発泡シート１７および熱吸収放散シート１８は、背負いベルト５の上部、すなわち使用者の肩に当たる部位に設ける。なお保持プレート１４を挟み込む位置はとくに限定されないが、通常は図３に示すように背負いベルト５の内部に、とくに裏地１６と発泡シート１７の間に介在させる。ただし外部に露出させてもよい。
【００３５】
背負いベルト５に用いる粘着弾性を有する発泡シート１７は、前記背当て体１に用いた粘着弾性を有する支持層８と同じものでよく、長さ、幅、形状が異なるだけである。そのため部品の共通化が計れる。また、熱吸収放散シート１８も前述の背当て体１に用いたものと同じものである。ただし背当て体１のように広い面積で体と密接するものではないので、温度調節機能はそれほど高くせずにコストを下げるようにしてもよい。また、背当て体１に比して強度や耐久性を重視する。
【００３６】
通常は矩形状の熱吸収放散シートをそのまま縫い付けるが、矩形状の熱吸収放散シートをＵ字状に打ち抜いてから、背当て体１の支持層８の表面に設けることもできる。その場合はＵ字状に打ち抜いたときのスクラップとなる内側の部位から背負いベルト５用の熱吸収放散シート１８を成形することができ、材料を節約することができる。また、背当て体１用に熱吸収放散シート９をＵ字状に打ち抜いてから支持層８の上に設ける場合は、比較的柔軟性が乏しい熱吸収放散シート９を厚い支持層８の上に縫い付ける場合でも、皺がよりにくい利点がある。
【００３７】
図４に示す背当て体２０は図２の背当て体１とほぼ同一であるが、ボード６の上に乗せる支持層８の厚さを１０ｍｍ以下、とくに５ｍｍ以下と薄くし、Ｕ字状の隆起部８ａの高さを全体的に低くしている。図２の背当て体１のように、１０〜２０ｍｍと厚い支持層８を用いる場合は、使用感が向上する半面、カバーシート１０に皺が出てくることがある。そのため、支持層８を薄くして皺の発生を抑制するのが好ましい。その場合も支持層８は粘着弾性を有する発泡シートが好ましいが、通常のクッションシートであってもよい。
【００３８】
さらに図４の背当て体２０は、熱吸収放散シート９とカバーシート１０との間に、薄いクッションシートからなる中間層２１を介在させている。このような中間層２１を設けると、熱吸収放散シート９の凹凸を滑らかに覆うことができ、カバーシート１０に皺が発生することを抑制することができる。また中間層２１は粘着弾性を有する発泡シートが好ましいが、通常のクッションシートであってもよい。
【実施例】
【００３９】
熱吸収放散シートを有する背当て体（実施例１）と、備えていない背当て体（比較例１）の温度変化を調べた。背当て体は取り扱いが容易なように、いずれもランドセルに縫製する前の状態で用いた。
【００４０】
［使用した背当て体］
［実施例１］下地ボード：厚さ３ｍｍのポリプロピレン製ボード
発泡樹脂：厚さ１５ｍｍ（ポリウレタン＋テンパーフォーム（登録商標）
熱吸収放散シート：
基  材：ポリエステル１００％不織布  目付け１４２ｇ/ｍ2
熱吸収拡散材：アウトラスト（登録商標）
［比較例１］熱吸収放散シートを介在しない以外は実施例１と同一。
【００４１】
［実験方法］
［実験１］初期温度１６℃の実施例１および比較例１の背当て体を、それぞれ室温３５℃に維持した高温の状況下に放置し、０分から１５分まで１分毎の温度変化を計測した。その結果を表１に示す。温度は赤外線サーモグラフィで撮影した背当て体の画像の色に基づいて特定した。
【００４２】
【表１】
2011189075.tif 000003
【００４３】
上記の表１および図４から分かるように、熱吸収放散シートを備えた背当て体は、高温の室内に放置されても温度上昇が緩やかである。そして比較例と比べると１〜２℃程度低い温度に保たれる。とくに３〜５分後は、２〜２．５℃程度と差が大きくなる。その後は次第に差が少なくなり、８〜１５分後には比較例より１℃程度となる。しかし通常は通学時間は１５分以内と考えられるので、温度上昇を抑制する効果として充分である。
【００４４】
［実験２］常温（約１６℃）の状況下で前述の実施例１、比較例１の背当て体に手を押し付け、３０秒後および１分後の熱変化を調べた。その結果を表２に示す。温度は手を外した後の背当て体の表面を赤外線サーモグラフィで撮影し、得られた画像の色に基づいて特定した。なお、３０秒後にははっきりと手の形の範囲の色が変わることがわかった。
【００４５】
【表２】
2011189075.tif 000004
【００４６】
表２および図５から分かるように、背当て体の表面に手を押し付けると直ちに背当て体に熱が伝わり、比較例１では３０秒後から体温に近い温度まで上昇する。これに対し、実施例１の背当て体では熱が伝わるが、温度上昇が緩やかであることが分かる。
【符号の説明】
【００４７】
Ａ ランドセル
１ 背当て体
２ 側襠部
３ 収容部
４ 覆い蓋
５ 背負いベルト
６ 下地ボード
７ クッションシート
８ 支持層
８ａ 隆起部
９ 熱吸収放散シート
１０  カバーシート
１１ 押さえ地
１２ ベルト連結具
１３ 連結鐶
１４  保持プレート
１５  表地（基材）
１６  裏地（カバーシート）
１７  発泡シート
１８  熱吸収放散シート
２０  背当て体
２１  中間層
【図１】
2011189075.tif 000005
【図２】
2011189075.tif 000006
【図３】
2011189075.tif 000007
【図４】
2011189075.tif 000008
【図５】
2011189075.tif 000009
【図６】
2011189075.tif 000010